(57)【要約】【課題】建築物の下階と上階との間等に、電線等の条材類を、桁や梁等の横材に開口した上下方向に直線的に又は屈曲して貫通する貫通穴又は屈曲貫通穴を通じて挿入貫通させた場合に、その後に行われる梁や桁等の横材に板材等を取り付ける際に打ち込まれ又はねじ込まれる釘やネジ等によってその条材類が損傷を受けるのを防止する。【解決手段】外径が対象の貫通穴２の内径を僅かに越える寸法の半円筒状の金属部材で構成する。若干の弾力性を有し、指でつまむ等により縮径可能である。その厚さは釘等によっても容易に打ち抜かれない程度とする。貫通穴２中に保護材１を挿入固定し、その中に挿通させたケーブル類４を保護する。横材３に板材５を張り、釘６で固定する場合に、その釘６が貫通穴２中に打ち込まれても、その先端が保護材１によって左右のいずれかに曲げられる等により、貫通穴２中のケーブル類４に接触することはない。【選択図】  図２
2013124470.tif 000002
【特許請求の範囲】
【請求項１】
建物の横材に形成された条材類の挿通用の、上下方向に直線的に貫通する貫通穴又は上下方向途中までは直線的で途中から屈曲して該横材の側面に開口する屈曲貫通穴に、その要保護内面側に沿って挿入する半割筒状の硬質部材からなり、少なくともその一部が該貫通穴又は該屈曲貫通穴の内径を越える外径を有し、かつ該貫通穴又は該屈曲貫通穴への挿入時に縮径可能な弾力性を備えた条材類の保護材。
【請求項２】
一端側の外径を前記貫通穴又は前記屈曲貫通穴の内径より小径にし、少なくとも他端側の外径を該貫通穴又は該屈曲貫通穴の内径より大径にし、かつ一端側から他端側の該貫通穴又は該屈曲貫通穴の内径より大径の部分まではテーパ状に拡大するように構成した請求項１の条材類の保護材。
【請求項３】
前記半割筒状の硬質部材の径の全てを前記貫通穴又は前記屈曲貫通穴の内径より大径に構成した請求項１の条材類の保護材。
【請求項４】
前記半割筒状の硬質部材の形状を半割円筒状又は周方向中央に長さ方向に沿って頂稜部を有する半割角筒状に構成した請求項１、２又は３の条材類の保護材。
【発明の詳細な説明】
【技術分野】
【０００１】
本発明は、建築物の下階と上階との間、床下と床上との間などに、電線、電話線、各種配管類等の条材類を、桁や梁等の横材に開口した貫通穴を通じて挿入貫通させた場合に、その後に行われる該梁や桁に板材等を取り付ける際に打ち込まれる釘やネジ等によって該条材類が損傷を受けるのを防止するために用いる条材類の保護材に関する。
【背景技術】
【０００２】
この種の保護材に関して、若干関連する文献を二つ見出した。
一つは特許文献１であり、該特許文献１に記載の発明は、半筒状の被覆体の側面の先端縁部に先尖状の埋設爪を設けて成るケーブル防護材である。
【０００３】
従って特許文献１の発明によれば、基板の面に沿って配されたケーブル類をその半筒状の被覆体でカバーし、同時にその被覆体の側面の先端縁部に配した先尖状の埋設爪を該基板に打ち込んで該被覆体をその状態に保持するものである。または天井裏に隠蔽すべく、ケーブル類を天井板を支持する垂木の下面に形成した条溝中に配してステップルでその状態に保持すべく支持した場合には、該条溝中のケーブルを下方から半筒状の被覆体で被覆し、この場合も同時に、その両側面の先端部の先尖状の埋設爪を該条溝の両側部付近に打ち込みその状態を保持すべくするものである。
【０００４】
いずれの場合も、以上のようにこのケーブル防護材でケーブル類を被覆することにより、この後に、後者の場合は、該垂木に天井板を取り付ける際等に、その取り付けのために打ち込まれる釘等によって該ケーブル類が傷つけられ、漏電や短絡の生じる虞を回避しようとするものであり、前者の場合も何らかの理由で打ち込まれる釘やネジ等によりケーブル類が傷つけられるのを回避しようとするものである。
【０００５】
この特許文献１の発明によれば、以上のようにケーブル類が開放された位置に配されている場合には、そのとおりの効果が得られるものと思われるが、梁や桁類又は根太等を貫通する上下貫通穴に挿入されているケーブル類を保護しようとした場合には、該ケーブル防護材は、これを、その上下貫通穴中に挿入して固定することが困難であると思われ、不適であると考える。
【０００６】
特許文献２に記載の発明は、配線・配管防護材であり、これは、縦割り半円筒形状の保護本体部と、該保護本体部の両側端部から突出する複数の突片とを有するものである。
【０００７】
従ってこの特許文献２の発明によれば、例えば、壁内から天井側に配線又は配管を延ばす場合には、下枠木材に上下貫通する配線挿通孔を形成し、一方の側面から該配線挿通孔の径に相当する幅で該配線挿通孔に届くまで切り込みを入れ、その間の部分を取り除き、断面Ｕ字形の溝を形成し、この中に配線又は配管を配置し、前記保護本体部で該溝中の該配線又は配管をカバーすると共に、該保護本体部の両側端部から突出する複数の突片を該溝の該当する部位に突き刺し、この配線・配管防護材の保護本体部による配線又は配管の保護状態を維持するようにしたものである。
【０００８】
この特許文献２の発明は、基本的な構成が前記特許文献１の発明と同様のものであり、同様に使用可能なものであり、同様の効果が得られるものである。従って又同様の問題点があるといわざるを得ない。すなわち、以上のように配線類が開放された位置に配されている場合には、そのとおりの保護効果が得られるものと思われるが、梁や桁類又は根太等を貫通する上下貫通穴のような閉じた孔に挿入されている配管類を保護しようとした場合には、該配線・配管防護材は、これを、その上下貫通穴中に挿入して固定することが困難であると云わざるを得ない。それ故、上下貫通穴を開口した場合に、側面から該上下貫通穴に届く切り込みを入れてその間の部分を取り除き、これを溝にしてしまうという桁や梁等の強度を低下させる乱暴な処理を施さざるを得なくなるのである。
【先行技術文献】
【特許文献】
【０００９】
【特許文献１】実開昭５８−４９５１５号公報
【特許文献２】特開２００２−６４９１８号公報
【発明の概要】
【発明が解決しようとする課題】
【００１０】
本発明は、建築物の下階と上階との間、天井の上と下、床下と床上との間等に、電線、電話線又は各種配管類等の条材類を、桁や梁その他の横材に開口した上下方向に直線的に貫通する貫通穴又は下方途中から上下方向に直交する方向に屈曲開口する屈曲貫通穴を通じて挿入貫通させた場合に、その後に行われる該梁や桁等の横材に板材等を取り付ける際に打ち込まれ又はねじ込まれる釘やネジ等によって該条材類が損傷を受けるのを防止するために用いる条材類の保護材を提供することを解決の課題とするものである。
【課題を解決するための手段】
【００１１】
本発明の１は、、建物の横材に形成された条材類の挿通用の、上下方向に直線的に貫通する貫通穴又は上下方向途中までは直線的で途中から屈曲して該横材の側面に開口する屈曲貫通穴に、その要保護内面側に沿って挿入する半割筒状の硬質部材、例えば、金属部材からなり、少なくともその一部が該貫通穴又は該屈曲貫通穴の内径を越える外径を有し、かつ該貫通穴又は該屈曲貫通穴への挿入時に縮径可能な弾力性を備えた条材類の保護材である。
【００１２】
本発明の２は、本発明の１の条材類の保護材において、その一端側の外径を前記貫通穴又は前記屈曲貫通穴の内径より小径にし、少なくともその他端側の外径を該貫通穴又は該屈曲貫通穴の内径より大径にし、かつ一端側から他端側の該貫通穴又は該屈曲貫通穴の内径より大径の部分まではテーパ状に拡大するように構成したものである。
【００１３】
本発明の３は、本発明の１の条材類の保護材において、その半割筒状の硬質部材の径の全てを前記貫通穴又は前記屈曲貫通穴の内径より大径に構成したものである。
【００１４】
本発明の４は、本発明の１、２又は３の条材類の保護材において、その半割筒状の硬質部材の形状を半割円筒状又は周方向中央に長さ方向に沿って頂稜部を有する半割角筒状に構成したものである。
【発明の効果】
【００１５】
本発明の１の条材類の保護材によれば、電線、電話線、各種ケーブル類又はガス管や水道管等の配管類を含めた種々の条材類を建築物の上階と下階との間、床下と床上との間又は天井上と下との間等を通すために、桁や梁その他の横材の壁の中等に位置する部位に上下方向に直線的に貫通する貫通穴又は上下方向途中から側方に屈曲する屈曲貫通穴を開口し、これらに挿入貫通させた場合に、該貫通穴又は屈曲貫通穴の要保護内面側、すなわち、外部から釘やネジ等の打ち込み又はねじ込み等が行われる可能性のある側の内面に沿ってこの条材類の保護材を挿入し、その部位に固定すれば、その後の工程で、釘等が上記貫通穴又は屈曲貫通穴に向けて打ち込まれてしまった場合にも、それが該条材類の保護材で防護され、該貫通穴又は屈曲貫通穴内の電線等の条材類に損傷を生じてしまうような問題を回避することができる。
【００１６】
該保護材は、少なくともその一部が該貫通穴又は該屈曲貫通穴の内径を越える外径を有し、かつ該貫通穴又は該屈曲貫通穴への挿入時には縮径可能な弾力性を備えているので、該貫通穴又は該屈曲貫通穴への挿入時にはこれを手で若干撓ませ、挿入後に、撓ませていた力を緩めれば、その該貫通穴又は該屈曲貫通穴の内径を越える外径である一部又は全部が元の径に戻り、該貫通穴又は該屈曲貫通穴に突っ張り状態となって固定されることになる。それ故、挿入も特別の用具を用いることなく極めて簡単に行えるものであるが、挿入後の固定も特別な操作を要することなく極めて簡単に行うことができるものであって、非常に使い勝手の良いものでもある。なお、前記弾力性は、多くの金属が備えている僅かの弾力性で十分であり、バネ材程の弾力性を要求されるものではない。前記半割筒状の硬質部材として多くの場合に種々の都合から金属部材を採用することになると思われるが、そうであれば、以上のように、殆どの場合に最低限度の弾力性を確保することができる。
【００１７】
本発明の２の条材類の保護材によれば、その一端側を貫通穴又は屈曲貫通穴の内径より小径に構成し、該貫通穴又は該屈曲貫通穴の内径を越える外径の部分まではテーパ状に構成したため、これを、その小径の端部から該貫通穴又は該屈曲貫通穴に挿入し、該貫通穴又は該屈曲貫通穴の内径を越える外径の部分を含めてその全体を該貫通穴又は該屈曲貫通穴内に押し込めば、それだけで簡単に挿入可能であり、かつそれだけでこれを該貫通穴又は該屈曲貫通穴内に固定することもできる。小径の端部を該貫通穴又は該屈曲貫通穴にそのまま挿入可能なのは当然であり、該貫通穴又は該屈曲貫通穴の内径より大径の部位もこれ自体が弾力性を備えているので、そのまま押し込めば、該貫通穴又は該屈曲貫通穴の内径に対応して自ずと縮径するので、スムーズな挿入が可能になるものである。またその弾力性により、該大径の部位が該貫通穴又は該屈曲貫通穴の内周に突っ張り状態に圧接するので、これを該貫通穴又は該屈曲貫通穴内に固定できることになるものである。
【００１８】
本発明の３の条材類の保護材によれば、その外径全体が前記貫通穴又は前記屈曲貫通穴の内径より大径に構成してあるため、該貫通穴又は該屈曲貫通穴への挿入の際には、手で若干撓ませる必要があるが、挿入後は、その全体の両側辺が該貫通穴又は該屈曲貫通穴の内面に突っ張り状態となるため、その固定はより確実なものとなる。
【００１９】
本発明の４の条材類の保護材によれば、その半割筒状の形状を半割円筒状又は周方向中央に長さ方向に沿って頂稜部を有する半割角筒状に構成したため、これを前記貫通穴又は前記屈曲貫通穴に挿入固定した場合に、それが半割円筒状であった場合には、外部から該貫通穴又は該屈曲貫通穴に向かって釘等が打ち込まれた場合に、該釘等の先端が半割円筒状の保護材に当接するに至ったとしても、その釘等の該半割円筒状の保護材に対する当接角度により、該釘等は該保護材の周面のいずれか側に誘導されて曲がり、該釘等が例え極端に強力な物であったとしても容易にその保護材を打ち抜くようなことにはなり難くなる。
【００２０】
保護材が前記のような半割角筒状であった場合には、外部から該貫通穴又は該屈曲貫通穴に向かって打ち込まれた釘等の先端は、前記頂稜部に完全に一致することは殆どあり得ず、その両側のいずれかの部位に斜めに当接することになる。それ故、その面に案内され、その面方向に曲がることになる。従って半円筒状の場合と同様に、例え、該釘等が極端に強力な物であったとしても容易にその保護材を打ち抜くようなことにはなり難くなる。
【図面の簡単な説明】
【００２１】
【図１】(a)は実施例１の条材類の保護材の斜め上方から見た斜視図、(b)は両側から圧力を加えて径を縮小させる場合を示した条材類の保護材の斜視図、(c)はケーブル類を挿通させた横材の貫通穴に実施例１の条材類の保護材を挿入固定した状態の平面図、(d)は(c)のＤ−Ｄ線断面図。
【図２】ケーブル類を挿通させかつ実施例１の条材類の保護材を内装固定させた横材の貫通穴に釘が打ち込まれた状態を示した断面説明図。
【図３】(a)は実施例２の条材類の保護材の斜め上方から見た斜視図、(b)は貫通穴に該条材類の保護材を挿入している様子を示す断面説明図、(c)は貫通穴に該条材類の保護材を挿入した状態を示す断面説明図。
【図４】(a)は実施例３の条材類の保護材の斜め上方から見た斜視図、(b)はその条材類の保護材の側面図、(c)はその条材類の保護材を貫通穴に挿入した状態の断面説明図。
【図５】(a)は実施例４の条材類の保護材の平面図、(b)はその条材類の保護材の正面図、(c)はその条材類の保護材を横材に開口した貫通穴に挿入固定した状態の平面図。
【図６】ケーブル類を挿通させかつ実施例４の条材類の保護材を内装固定させた横材の貫通穴に釘が打ち込まれた状態を示した断面説明図。
【図７】下部で正面側に屈曲する貫通穴に実施例１の条材類の保護材を内装固定した状態を示す断面説明図。
【発明を実施するための形態】
【００２２】
以下、発明の実施の形態を実施例１〜４に基づいて添付図面を参照しつつ詳細に説明する。
【００２３】
＜実施例１＞
この実施例１の条材類の保護材１は、図１(a)、(b)に示すように、半円筒状の金属部材（硬質部材）で構成したものであり、その外径は、対象とする貫通穴２の内径を僅かに越える寸法に構成してある。若干の弾力性を有し、図１(b)に矢印で示すように、その両側辺１ａ、１ａを指でつまむ等により縮径させることが可能であり、かつ力を緩めれば、当然、元の径に復帰できる。その厚さ及び材質は釘６（図２参照）等によっても容易に打ち抜かれない程度のものとする。
【００２４】
前記条材類の保護材１は、前記のように、半円筒状に構成するものであるが、文字通り半円筒である必要はなく、例えば、４／７円筒のように、若干半円より大きい方が適当であり、前記半円筒はそれらも含む概念である。また半円筒状の円は交差する方向の径が若干異なる楕円も含む。
【００２５】
この実施例１の条材類の保護材１は、以上のように構成したものであり、例えば、図１(c)及び(d)に示すように、建築物の上階と下階との間の横材３に上下貫通状態に開口した貫通穴２に、これに挿通させたケーブル類４の保護のために挿入固定して用いることができる。該貫通穴２への挿入は、前記し、図１(b)に示すように、その両側辺１ａ、１ａを指等でつまんで該貫通穴２の内径より小径になるように縮径させた上で行う。こうして該保護材１は、極めて容易に該貫通穴２に挿入することができる。挿入後はつまんだ力を弱めれば該保護材１は元の径に復帰して該貫通穴２の内部に係止状態となる。この係止状態は、両側辺１ａ、１ａが該貫通穴２の内周面に突っ張り状態になることで得られる。なお、該保護材１は、図１(c)、(d)に示すように、該貫通穴２において、その後の工程で、その横材３の面の内、板材５等が張り付けられ、その際に釘６等が打ち込まれる可能性のある側面に対応する内面側に挿入する。
【００２６】
このように貫通穴２中に保護材１を挿入固定することにより、その中に挿通させたケーブル類４を保護することができる。例えば、図２に示すように、該横材３に板材５が張り付けられ、釘６で固定される場合に、たまたま釘６が該貫通穴２中に打ち込まれたとしても、同図に矢印で示すように、その釘６の先端が保護材１に当接すると、その外周面に沿って左右のいずれかに曲がることとなり、該貫通穴２中のケーブル類４がその釘６によって損傷を生じる虞はほとんどなくなるものである。もし該保護材１の真正面に釘６が打ち込まれ、その先端が真正面から該保護材１に当接状態になったとしても、該保護材１は十分な強度を有する材質の金属で適切な厚さに作成してあるので、これが該保護材１を貫通することは殆どあり得ない。釘６はそれ以上打ち込み得ないので、作業者は該釘を引き抜いて別の部位へ打ち込むことになる。
【００２７】
＜実施例２＞
この実施例２の条材類の保護材１１は、図３(a)に示すように、外径が一端（上端）から他端（下端）に向かって徐々に小径になるテーパ状かつ半円筒状の金属部材（硬質部材）で構成したものである。その大径の一端側の外径は、対象とする貫通穴１２の内径を僅かに越える寸法で、他端側の外径は、該貫通穴１２の内径を下回る寸法に構成してある。若干の弾力性を有し、指でその両側辺１１ａ、１１ａをつまむ等により縮径させることが可能であり、かつ力を緩めれば、当然、元の径に復帰できる。その厚さ及び材質は釘等によっても容易に打ち抜かれない程度のものとする。ここで云う半円筒も実施例１で云うそれと同様である。
【００２８】
前記保護材１１の下端部の径は、前記のように、対象の貫通穴１２の内径より小径にするものであるが、できるだけ該貫通穴１２の内径との差を少なくする。差が大きいと、該貫通穴１２中にこれを挿入固定した場合に、外部から釘等が打ち込まれ、該保護材１１の下部側にその先端が圧接した場合に、該下部側がその圧力で深く押し込まれる可能性があるからである。差が小さければ、僅かには押し込まれるが、下端側の両側辺１１ａ、１１ａがすぐに該貫通穴１２の内周に接触し、食い込み状態になり、それ以上に押し込まれることにならず、ケーブル等の保護を全うできるからである。
【００２９】
この実施例２の条材類の保護材１１は以上のように構成したものであり、実施例１のそれと同様に、建築物の上階と下階との間の横材１３に上下貫通状態に開口した貫通穴１２に、これに挿通させたケーブル類１４の保護のために挿入固定して用いることができる。該貫通穴１２への挿入は、図３(b)に示すように、小径の下端側から行い、上端の大径部については、両側辺１１ａ、１１ａを摘んで縮径して挿入するか、縮径せずにそのまま若干強く押し込む。後者の場合は該貫通穴１２の内周に接して自ずと縮径しつつ挿入され、固定されることになる。前者の場合は指を離せば拡径して貫通穴１２の内周にその両側辺１１ａ、１１ａの特に上部で係止することになる。図３(c)に示すとおりである。こうして該保護材１１は、容易に該貫通穴１２に挿入し得、かつ固定することができる。
【００３０】
なお、該保護材１１は、実施例１のそれと同様に、云うまでもなく、該貫通穴１２において、その後の工程で、その横材１３の面の内、板材等が張り付けられ、その際に釘等が打ち込まれる可能性のある側面に対応する内面側に挿入固定する。
【００３１】
このように貫通穴１２中に保護材１１を挿入固定することにより、その中に挿通させたケーブル類１４を保護することができる。これは、実施例１の条材類の保護材１について述べたのと全く同様であり、該横材１３への板材の張り付けの際に、釘が該貫通穴１２中に打ち込まれたとしても、その釘の先端が保護材１１に当接し、多くの場合は、周側を左右のいずれかの側に曲がることとなり、該貫通穴１２中のケーブル類１４がその釘によって損傷を受ける虞は殆どなくなる。釘等が左右いずれかに誘導されない場合は、それ以上の打ち込みができなくなるので、同様に、ケーブル類１４に損傷が生じる虞はない。
【００３２】
＜実施例３＞
この実施例３の条材類の保護材２１は、図４(a)、(b)に示すように、半円筒状の金属部材（硬質部材）を基本とする形状に構成し、その両肩部に外側に折り返した折り返し片２１ａ、２１ａを備えたものに構成したものである。その外径は、対象とする貫通穴２２の内径を僅かに越える寸法に構成してある。若干の弾力性を有し、両側辺２１ａ、２１ａの部位を指でつまむ等により縮径させることが可能であり、かつ力を緩めれば、当然、元の径に復帰できるものである。その厚さ及び材質は釘等によっても容易に打ち抜かれない程度のものとする。半円等の概念は実施例１のそれと同様である。
【００３３】
この実施例３の条材類の保護材２１は以上のように構成したものであり、実施例１のそれと同様に、建築物の上階と下階との間の横材２３に上下貫通状態に開口した貫通穴２２に、これに挿通させたケーブル類２４の保護のために挿入固定して用いる。もっともこの実施例３の保護材２１は、前記のように、両肩部に折り返し片２１ａ、２１ａを構成してあるので、その部位が、図４(c)に示すように、該貫通穴２２の上部開口縁に係止することになる。従って、この実施例３の保護材２１が該貫通穴２２に挿入状態になるのは、折り返し片２１ａ、２１ａより下方の部分のみである。要するに折り返し片２１ａ、２１ａの下部より上方の部分は該貫通穴２２から露出した状態となる。
【００３４】
なお、以上の該貫通穴２２への挿入は、その両側辺２１ｂ、２１ｂを指等でつまんで該貫通穴２２の内径より小径になるように縮径させた上で行う。こうして該保護材２１は、容易に該貫通穴２２に挿入することができる。挿入後はつまんだ力を弱めれば該保護材２１は元の径に復帰して該貫通穴２２の内周に係止状態となる。この係止は、両側辺２１ｂ、２１ｂが該貫通穴２２の内周に突っ張り状態になることで得られる。また、前記のように、折り返し片２１ａ、２１ａの下縁で該貫通穴２２の上部開口縁に係止状態にもなるものである。また、当然に、該保護材２１は、該貫通穴２２において、その後の工程で、その横材２３の面の内、板材等が張り付けられ、その際に釘等が打ち込まれる可能性のある側面に対応する内面側に挿入する。
【００３５】
このように貫通穴２２中に保護材２１を挿入固定することにより、その中に挿通させたケーブル類２４を保護することができる。該横材２３に板材が張り付けられ、釘で固定される場合には、この実施例３の保護材２１は、前記のように、その上端付近が横材２３の上方に露出しており、それがケーブル類２４より大きくて目立つので、作業者は、その付近を外して釘打ち作業をするように注意を促される結果となる。これがもし見落とされ、釘が該貫通穴２２中に打ち込まれるようなことになったとしても、実施例１又は２の場合と同様に、該保護材２１によって保護され、該貫通穴２２中のケーブル類２４がその釘によって損傷を受ける虞はほとんどなくなるものである。
【００３６】
＜実施例４＞
この実施例４の条材類の保護材３１は、図５(a)、(b)に示すように、半角筒状の金属部材（硬質部材）を基本とする形状に構成したものである。この実施例４の保護材３１は、八角形の角筒体を半割した形状のものであり、その外径は、対象とする貫通穴３２の内径を僅かに越える寸法に構成してある。若干の弾力性を有し、図５(b)に矢印で示すように、その両側辺３１ｃ、３１ｃを指でつまむ等により縮径させることが可能であり、かつ力を緩めれば、当然、元の径に復帰できるようになっている。またその厚さ及び材質は釘等によっても容易に打ち抜かれない程度のものとする。なお、この保護材３１の角部（頂部）、すなわち、長さ方向に沿った稜線３１ｂ、３１ｂ…のうちの一つは、図５(a)〜(c)に示すように、正面中央に位置するように構成する。またこの実施例４では、保護材３１は、文字通り、八角形の角筒体を半分に割った形状としたが、半分より若干大きくすることも可能であり、それもこの概念に含む。また当然八角形以外の角筒体を半割りして構成することもできる。
【００３７】
従ってこの実施例４の条材類の保護材３１によれば、実施例１のそれと同様に使用することができる。例えば、建築物の上階と下階との間の横材３３に上下貫通状態に開口した貫通穴３２に、これに挿通させたケーブル類３４の保護のために挿入固定して用いる。以上の該貫通穴３２へのこの保護材３１の挿入は、その両側辺３１ｃ、３１ｃを指等でつまんで該貫通穴３２の内径より小径になるように縮径させた上で行う。こうして該保護材３１は極めて簡単に該貫通穴３２に挿入することができる。挿入後はつまんだ力を弱めれば該保護材３１はすぐに元の径に復帰して該貫通穴３２の内面に係止状態となる。この係止は、保護材３１の両側辺３１ｃ、３１ｃが該貫通穴３２の内周部に突っ張り状態になることで得られる。
【００３８】
また、当然に、該保護材３１は、図５(c)に示すように、該貫通穴３２において、その後の工程で、その横材３３の面の内、板材等が張り付けられ、その際に釘等が打ち込まれる可能性のある側面に対応する内面側に挿入する。このとき、該保護材３１の中央の稜線が板材等が貼り付けられる横材３３の対応する側面に対して真正面に向くように挿入するべきである。
【００３９】
このように貫通穴３２中に保護材３１を挿入固定することにより、その中に挿通させたケーブル類３４を確実に保護することができる。該横材３３に板材３５が張り付けられ、釘３６で固定される場合に、図６に示すように、たまたま釘３６が該貫通穴３２に向かって打ち込まれたとしても、その釘３６の先端は保護材３１に当接し、その左右のいずれかの面に沿って曲がることとなり、該貫通穴３２中のケーブル類３４がその釘３６によって損傷を受ける虞はほとんどなくなる。すなわち、該釘３６が以上のように打ち込まれた際に、これが該保護材３１の中央の稜線に正面から突き当たることは殆どあり得ないため、その両側のいずれかの面に当たり、以上のように、その左右いずれかの面に沿って横方向に案内され、該貫通穴３２中のケーブル類３４がその釘３６によって損傷を生じる虞はほとんどなくなるものである。また該保護材３１を相応の強度を持ったものともしてあるので、例え、中央の稜線に正面から当たった場合であっても容易にこれが打ち抜かれることはない。その場合には、釘３６の打ち込みができないので、作業者は位置を変えて打ち込むことになる筈である。
【００４０】
なお、以上の保護材３１は、打ち込まれた釘３６が当接し、これに押されても、容易に後退しない。保護材３１の両側辺３１ｃ、３１ｃが貫通穴３２の内周に突っ張り状態となっており、該保護材３１の後退方向は、該両側辺３１ｃ、３１ｃの間隔を縮小させる方向となるためである。
【００４１】
＜他の用例＞
これは実施例１の条材類の保護材１を横材４３の屈曲貫通穴４２に挿入固定した例に関する。この屈曲貫通穴４２は、図７に示すように、横材４３の上面から上下方向途中までは直線的に、途中から、すなわち、該横材４３の下面に貫通する前に屈曲して該横材４３の側面に開口するように形成したものである。
【００４２】
この屈曲貫通穴４２を利用してケーブル類４４が上階から下階等に配線されている場合に、このケーブル類４４を、該横材４３に板材を貼り付ける場合等に打ち込まれる釘等から保護する趣旨で、この条材類の保護材１を利用する。当然、上下方向に直線的に作成されている貫通穴３等に挿入固定する場合と同様の趣旨である。挿入の仕方も同様である。
【００４３】
具体的には、該屈曲貫通穴４２への挿入は、該保護材１を両側辺１ａ、１ａの部位で指等でつまんで該屈曲貫通穴４２の内径より小径になるように縮径させた上で行う。該保護材１は、図７に示すように、こうして、その上方から極めて容易に該屈曲貫通穴２に挿入することができる。挿入後はつまんでいた力を弱めれば該保護材１は元の径に復帰して、同図に示すように、該屈曲貫通穴４２の内面に係止状態となる。なお、該保護材１は、同図に示すように、該屈曲貫通穴４２において、その後の工程で、その横材４３の面のうち、板材等が張り付けられ、その際に釘等が打ち込まれる可能性のある側面に対応する内面側に挿入固定する。
【００４４】
該保護材１の固定は、縮径して挿入した保護材１が拡径して、その両側辺１ａ、１ａが該屈曲貫通穴４２の内周面に突っ張り状態となることによって行われる。これは、当然、上下にストレートに開口した貫通穴２の場合と同様である。なお、この屈曲貫通穴４２の場合は、保護材１の下端が、該屈曲貫通穴４２の屈曲部の下方側の面まで下降した状態になった場合には、それによってそれ以上の下降が回避できるようにもなる。
【００４５】
このように屈曲貫通穴４２中に保護材１を挿入固定することにより、前記貫通穴２中に挿入固定した場合と全く同様に、その中に挿通させたケーブル類４４を保護することができる。
【産業上の利用可能性】
【００４６】
本発明の条材類の保護材は、これを製造する工業分野及びこれを用いる建築分野で利用することができる。
【符号の説明】
【００４７】
１    条材類の保護材
１ａ  保護材の側辺
２    貫通穴
３    横材
４    ケーブル類
５    板材
６    釘
１１  条材類の保護材
１１ａ  保護材の側辺
１２  貫通穴
１３  横材
１４  ケーブル類
２１  条材類の保護材
２１ａ  保護材の折り返し片
２１ｂ  保護材の側辺
２２  貫通穴
２３  横材
２４  ケーブル類
３１  条材類の保護材
３１ｂ  稜線
３１ｃ  保護材の側辺
３２  貫通穴
３３  横材
３４  ケーブル類
３５  板材
３６  釘
４２  屈曲貫通穴
４３  横材
４４  ケーブル類
【図１】
2013124470.tif 000003
【図２】
2013124470.tif 000004
【図３】
2013124470.tif 000005
【図４】
2013124470.tif 000006
【図５】
2013124470.tif 000007
【図６】
2013124470.tif 000008
【図７】
2013124470.tif 000009